(57)【特許請求の範囲】
【請求項１】
オーガハウジング内に回転自在に収納され、駆動源で駆動される軸に固定したオーガパドルを該軸で駆動し、該オーガパドルの軸方向両側に配置した螺旋部で雪を該オーガパドルの中央部に寄せ、寄せられた雪をオーガパドル中央部の投雪部で跳ね上げ、オーガハウジングから延出したシュータを介して外部に放出するようにした除雪機において、
前記オーガパドル中央部に設けた投雪部は前記軸に固定される基部を備え、且つ該投雪部は径方向外方、且つ回転方向に開放し、回転方向の反対側に所定深さのポケット部を備え、
前記投雪部の前記ポケット部は、該投雪部基部の先端部から斜めに下がった略々逆三角形の奥壁と、該奥壁の下端部の左右の辺から先端部方向に向かい、投雪部の軸方向中央部が谷となるように略Ｖ字型に形成された所定長さの底壁を備え、
前記投雪部のポケット部の底壁は、外周方向に向けて該オーガパドル回転方向とは反対側に傾斜して形成して回転方向に遅れ角を設けた、
ことを特徴とする除雪機。
【請求項２】
前ポケット部を備える投雪部の先端部にラバーを取り付け、該ラバーは、前記投雪部の径方向に長さを調節可能としたことを特徴とする請求項１に記載の除雪機。
【発明の詳細な説明】
【０００１】
【発明の属する技術分野】
本発明は、駆動源で除雪用オーガを回転駆動し、一人で操作可能な小型の除雪機の改良に関する。
【０００２】
【従来の技術】
この種の除雪機として、特開昭６２−６３７０８号が従来から知られている。
この除雪機は、ハウジング内に駆動源で回転駆動されるオーガーパドルを備え、オーガーパドルは、両側の螺旋状のオーガと、中央部にパドルを備え、パドルは中央部から両側へ略々凹面をなすように弯曲して形成されている。
以上の従来公報に開示された除雪機は、その第５図に明示されているように、オーガーパドルは、中央部の投雪部を含むパドルが３次元的曲面に形成されており、製作が難しくなる虞がある。
【０００３】
【発明が解決しようとする課題】
従来開示の除雪機の以上の課題を解決するため、本出願人は、先に特許第２５５６８８５号を提案した。
この除雪機は、オーガパドルの中央部の投雪部を、中央部が谷となるように両側の２面の斜面で形成したもので、これによれば、オーガーパドルの構造、特に中央部の投雪部の構造が簡単化し、製作が容易であること、又投雪距離を伸ばす等の除雪性能の向上を図ることが出来る。
以上の従来の除雪機は、謂わば略Ｖ字型の投雪部に雪を集め、投雪、放出を行なうが、集雪性能、投雪性能を向上させるために、未だ改良の余地がある。
【０００４】
本発明は、以上の課題を解決すべくなされたもので、構造の簡素化、製作の容易化を維持しつつ、集雪性能、投雪性能の一層の向上を図ることが出来る除雪機を提供することを目的とする。
【０００５】
【課題を解決するための手段】
上記課題を解決するために請求項１は、オーガハウジング内に回転自在に収納され、駆動源で駆動される軸に固定したオーガパドルを該軸で駆動し、該オーガパドルの軸方向両側に配置した螺旋部で雪を該オーガパドルの中央部に寄せ、寄せられた雪をオーガパドル中央部の投雪部で跳ね上げ、オーガハウジングから延出したシュータを介して外部に放出するようにした除雪機において、前記オーガパドル中央部に設けた投雪部は前記軸に固定される基部を備え、且つ該投雪部は径方向外方、且つ回転方向に開放し、回転方向の反対側に所定深さのポケット部を備え、前記投雪部の前記ポケット部は、該投雪部基部の先端部から斜めに下がった略々逆三角形の奥壁と、該奥壁の下端部の左右の辺から先端部方向に向かい、投雪部の軸方向中央部が谷となるように略Ｖ字型に形成された所定長さの底壁を備え、前記投雪部のポケット部の底壁は、外周方向に向けて該オーガパドル回転方向とは反対側に傾斜して形成して回転方向に遅れ角を設けたことを特徴とする。
請求項１では、投雪部はポケット部は、投雪部基部の先端部から斜めに下がった略々逆三角形の奥壁と、該奥壁の下端部の左右の辺から先端部方向に向かい、投雪部の軸方向中央部が谷となるように略Ｖ字型に形成された所定長さの底壁を備え、前記投雪部のポケット部の底壁は、外周方向に向けて該オーガパドル回転方向とは反対側に傾斜して形成して回転方向に遅れ角を設けた両側のオーガから中央部に寄せられた雪の集積性が良好になされ、より多くの雪を投雪部に掻き集め、保持し、纏めて投雪することができる。
また、オーガパドル中央部に設けたポケット部を備える投雪部の底は、外周方向に向けて該オーガパドル回転方向とは反対側に傾斜して形成して回転方向に遅れ角を設けたことから、投雪部のポケット部が回転方向と反対側に先端に向けて傾斜し、投雪部はオーガパドルの他の部分に対して回転に位相遅れが生じ、このため雪の放出位相の遅れにより、雪放出のイナーシャーが付与され易く、雪をより遠くに放出することが出来る。
また、オーガパドルの投雪部は、略々Ｖ字型のポケット部となり、投雪部の中央により多くの雪を集めることが出来、雪をより纏めて投雪、放出することが出来る。
【０００６】
請求項２は、請求項１に加えるに、オーガパドル中央部に設けたポケット状投雪部の先端部にラバーを取り付け、該ラバーを投雪部の径方向に長さを調節可能とした。
請求項２では、ラバーの摩耗した際に、該ラバーを進出させ、摩耗を調節することができる。
【０００７】
【発明の実施の形態】
本発明の実施の形態を添付図に基づいて以下に説明する。なお、図面は符号の向きに見るものとする。
図１は本発明に係る除雪機の外観側面図、図２は同正面図、図３は本発明に係るオーガハウジングの縦断側面図、図４は本発明に係るオーガーパドルを背面から見た図で、図３の矢視４方向から見た図、図５は本発明に係るオーガパドルの後方から見た全体斜視図、図６は本発明に係る投雪部単体の平面図、図７は本発明に係る投雪部単体の縦断側面図、図８は本発明に係る除雪機の雪放出作用を説明する作用図で背面から見た図、図９は同作用図の側面図である。
図において、除雪機の進行方向を基準としてＦｒは前方を、Ｒｒは後方を示し、又Ｒは右方を、Ｌは左方を示した。
【０００８】
図１は本発明に係る除雪機１の外観側面図を示し、基枠２上にエンジン３を搭載し、エンジン３の廻りをカバー４で覆い、カバー４内で、エンジン後方、且つ側方には、燃料タンクを収納し、図では給油用のキャップ５が後部の上方に突出する。又基枠２の後部の下部から、後上傾するようにハンドル６を延出し、基枠２の下部を構成するプレート７の左右には転輪で構成した車輪８を備える。
【０００９】
基枠２の前部にはオーガハウジング９を備え、オーガハウジング９内には後述するオーガパドル３０を収納、配設する。
オーガハウジング９は図２、図３で明示したように、前方、且つ下方に開放し、樹脂性で形成した上半体１０、鋼板等で形成した下半体１１を内部で、オーガパドル３０の中央部の前半部上方に幅方向に架設した雪落としを兼ねる梁状の連結板１２で結合、一体化されている。
【００１０】
オーガハウジング９の後半部の幅方向の中央部には、図３、図８に示すように下方に開口した略々逆漏斗状の投雪ダクト１３が一体的に上方に起設され、投雪ダクト１３は下部が幅方向に大きく、投雪ダクト１３の下端開口部は、オーガハウジング９の中央部にあって、該ハウジングの幅の１／２程度、あるいはそれ以上の大きさを有し、上方に幅が小さくなるように形成されている。
投雪ダクト１３の上端部には雪を放出する投雪用シュータ１４を旋回可能に取り付け、該シュータ１４の上端部には、投雪方向を調節するガイドコーン１５を伏仰自在に設け、伏仰操作はガイドコーン１５の後方に延ばした調節ハンドル１６で行う。
【００１１】
オーガパドル３０の駆動は、エンジン３の出力軸１７に設けた駆動プーリ１８と、オーガハウジング９の下半体１１の一側に設けたケース１１ａ内に収納した被動プーリ１９とをベルト２０で連結し、エンジン動力でオーガパドル３０を回転駆動する。エンジン３の出力制御は、ハンドル６の中間部上に枢着したスロットルレバー２１を手前（後方Ｒｒ）に引いたり、引く力を開放することで、ケーブル２１ａを介してエンジン３の気化器を制御することで行う。
尚、図１中において２２はオーガハウジング９の下半体１１の後面１１ｂの下端部に設けたスクレーパで、ボルト２２ａを弛めて長孔で該スクレーパ２２を進退調節し、雪掻き高さの調節と、オーガパドル３０の除雪作業で凹凸が生じた地面を掻きならす。
【００１２】
オーガパドル３０は図３〜図７で詳細に示した通りで、オーガハウジング９の下半体１１の左右の両側板１１ｃ，１１ｃ間に回転可能に架設される。オーガパドル３０の外観は図５の斜視図に示す通りで、この斜視図は、オーガパドル３０を左側後方から見た図である。
軸３１は、パイプ材の中間部３１ｂを矩形断面にしたもので形成され、図４の後方から見た図で明示したように、両端部３１ａ，３１ａをオーガハウジング９の下半体の両側板１１ｃ，１１ｃに軸受け２３，２３を介して回転可能に軸支し、一方の側板１１ｂの中間部に形成した凹部１１ｄ内に配置した前記の被動プーリ１９にこの側の軸端を連結し、エンジン動力で回転駆動される。
【００１３】
軸３１の軸方向の左右の軸端から略々１／４の各部分には、オーガパドル３０の回転で掻き集める雪を、軸方向の中央に寄せる機能を行う螺旋部３２，３２が配設され、螺旋部３２，３２は側面視で環状をなし、図４では構造理解の便宜上左右の螺旋部３２，３２の上半部のみを示したが、図３、図５に示すように、略１／４螺旋環の半体３２ａ，３２ａを上下で組合わせて一つの環状の螺旋部３２，３２を構成し、螺旋部３２，３２は左右対称に設ける。
螺旋部各３２，３２の各半体３２ａ，３２ａは、鋼板製の本体３２ｂと、これの外周に先端部が突出するように設けたラバー部材３２ｃとからなり、ラバー部材３２ｃは、摩耗により随時交換する。尚、図５において矢印はオーガパドル３０の回転方向を示す。
【００１４】
螺旋部３２の本体部３２ａの軸端側は、軸３１の端部周に設けた細長い支持板３１ｃ，３１ｃで取り付け、支持し、軸方向の内方部は投雪部３３の両側部に連結して取り付け、支持する。
投雪部３３は、螺旋部３２，３２間の軸３１の中央部周に設けられ、軸方向の長さは、軸３１の略々１／２の長さを有する。投雪部３３の単品の詳細は図６、図７に示す通りで、鋼板のプレス成形品で形成し、オーガパドル３０の径の１／２より少しく長めに、オーガパドル３０の径方向に長さを有するように、その長さを設定する。
【００１５】
基部３３ａは平坦で、これの軸方向と直交する方向の中間部には、図６、図７で示したように、上方に凸状に膨出するリブを兼ねる係合凹部３３ｂを設け、前記した軸３１の矩形断面の中間部３１ｂと係合する。基部３３ａには、係合凹部３３ｂを挟んで、その前後に取付孔３３ｃ…（…は複数を表す。以下同じ）を設け、取付孔３３ｃ…は、軸３１の軸方向に離間して複数個設けた。
又係合凹部３３ｂには、軸３１の中間部３１ｂに投雪部３３を結合する取付孔３３ｄ，３３ｄ（図６にのみ示す）を備え、軸中間部３１ｂにボルト止めする。
【００１６】
基部３３ａの先端部を下方に一段下げ、集められた雪をストックして保持するポケット部３４を連続するように先端部方向（径方向外方）に延出するように設ける。
ポケット部３４は、内径方向（軸３１の寄った方向）に、基部３３ａの先端部から斜に下がった奥壁３４ａを備え、奥壁３４ａは図４、図６で明示したように略々逆三角形状をなし、奥壁３４ａの下端部の左右の辺３４ｂ，３４ｂから先端部方向に向かう底壁３４ｃ，３４ｃを備える。
【００１７】
左右の底壁３４ｃ，３４ｃは、奥壁３４ａの各辺３４ｂ，３４ｂから図７に示すように屈曲して先端部方向に向かって所定長さに設けられ、正面視では、図４及び図６に示すように中央部３４ｄが谷となるように角度の小さい略々Ｖ字型に形成されている。
上記したポケット部３４の底壁３４ｃ，３４ｃは、底壁全体として、図７に示したように、オーガパドル３０の回転方向を図７の矢印で示す反時計方向とし、基部３３ａの面に対して回転方向に対し反対側に所定角度θ先端部方向に傾斜するように設定する。
【００１８】
上記した傾斜角θは、例えば１５°前後とし、図では基部３３ａ軸心からＬ前方に偏位した先端側の取付部を基準として底壁３４ｃ，３４ｃの両側端部を含んで傾斜させ、図７で示す谷部３４ｄは、傾斜角θが下方にＳだけ平行移動しただけである。尚、底壁３４ｃ，３４ｃの先端部に折曲、垂下した３４ｅはリブである。
以上のポケット部３４の左右の底壁３４ｃ，３４ｃの各端部には、各外開きとなるように若干外側に傾斜した螺旋部取付片３５，３５を起立するように設ける。
該螺旋部取付片３５，３５は螺旋部３２，３２の外形に倣うように弧状に形成されており、螺旋部３２，３２の軸方向内側部を結合するための取付孔３５ａ…を備える。この螺旋部取付片３５，３５の部分は、基部３３ａの両側端部まで延出して形成され、この部分では基部３３ａに起立した両側のリブ３５ｂ，３５ｂとして機能し、従って、背は低い。
【００１９】
以上により、投雪部３３の先端部に形成されるポケット部３４は、径方向外方（先端部方向）、回転方向（図７の上方）の開放され、奥壁３４ａ、底壁３４ｃ，３４ｃで囲まれたポケット部３４を構成する。この際、ポケット部３４の両側の螺旋部取付片３５，３５の下部もポケット部の一部として機能する。
上記した投雪部３３は、図７では想像線Ａで示したように、１８０°位相をズラせて軸３１周に点対称に配設され、夫々の係合凹部３３ｂ，３３ｂで軸３１の矩形断面の中間部３１ｂを抱持するようにボルト３９…（図４、図５参照）で結合し、又上下に重なる基部３３ａ相互を、取付孔３３ｃ…相互でボルト４０…で結合し、軸３１と一体化する。
【００２０】
以上の各投雪部３３，３３は、実施例では、何れも各部全一体に鋼板素材のプレス成形品で構成した。
前記した螺旋部３２，３２の軸方向内側端部は、投雪部３３，３３の左右の各螺旋部取付片３５，３５に結合し、取付支持する。
【００２１】
ところで、前記した投雪部３３のポケット部３４の底壁３４ｃ，３４ｃ上にはラバー部材３６，３６をボルト止めする。各ラバー部材３６，３６は、図７に示すように先端部３６ａを下方に膨出した肉厚に形成し、基部３６ｂをこれより薄肉とし、基部３６ｂに図７の左右方向に長孔３７を設け、ボルト３８で底壁３４ｃ，３４ｃに設けた取付孔３４ｆ…に結合する。
従って、ラバー部材３６の先端部が摩耗した場合には、ボルト３８を弛めて長孔３７によりラバー部材３６を径方向外方に進出させ、摩耗時の調節を行うことが出来るように構成した。
【００２２】
次に以上の除雪機１の作用を図８及び図９を参照しつつ説明する。前記したエンジン３でオーガパドル３０は回転駆動され、回転方向は図３、図５、図７に示す通りである。
除雪機１を前進させることで、オーガパドル３０によりオーガハウジング９の前方、下方の雪を先ず螺旋部３２，３２で掻く。雪は両側部の螺旋部３２，３２のガイド作用で、軸方向中央部側に移送され、中央部の投雪部３３に寄せられ、この部分に集められる。
螺旋部３２，３２の軸方向内方への雪寄せ作用で、中央部の投雪部３３に寄せられた雪は、ポケット部３４が前述のように懐があり、袋状なので、この部分に集中的に、多くの量を集めることが出来る。オーガパドル３０の回転の継続で、ポケット部３４は後面板１１ｂを上方に回転、移動していく。
【００２３】
投雪部３３のポケット部３４に集められた雪は、軸３１を中心とするポケット部３４の回転による遠心力で、図９のように雪に遠心力が与えられ、雪を上方の投雪ダクト１３の開口部から上方に跳ね上げ、この上のシュータ１５を介して外部に放出される。
放出に際し、前記したガイドコーン１５で向きを調節し、又放出方向は、シュータ１４を旋回させて調節する。
【００２４】
ところで、投雪部３３に集められた雪は、前記したようにポケット部３４に雪が集められることから、投雪部３３には従来に比較し多くの量の雪を集めることができ、一回の雪の放出量は、従来よりも多く、除雪量の大きな除雪機を得ることができる。
一方、投雪部３３のポケット部３４は、図９に示すように、投雪部３３の一般面をなす基部３３ａに対して回転方向とは反対側にθ°傾斜しているので、雪は最も周速が大きい先端のポケット部に集められやすい。且つ投雪に関与する投雪部３３は、傾斜したポケット部３４により回転遅れが生じる。このため、雪放出の際のイナーシャがつき易く、従来に比較し、大きな量の雪を集めつつ、より遠くへ雪を放出することが出来る。
投雪ダクト１３の前方に臨んだ雪は、前記した雪落としを兼ねる連結板１２に衝突し、図９のように下方に落下し、再度螺旋部３２，３２で集められる。さらには、螺旋部３２，３２の上方且つ前方から吹出そうとする雪は、連結板１２に衝突して落下し、再度螺旋部３２，３２で集められる。
【００２５】
又実施例では、ポケット部３４のラバー部材３６を含む左右の底壁３４ｃ，３４ｃは、中央部方向が谷となるように対称的に下傾するように傾斜し、略々Ｖ字型となので、図８に示すように、投雪部を構成するポケット部３４の中央部により多くの雪を集めることが出来、上方への放出時に放出される雪は矢印のように放出方向において中央部側に寄るように纏められて跳ね上がられ、投雪ダクト１３のテーパー形状に沿うように放出され、効率的な雪の集め放出を行う。
【００２６】
【発明の効果】
本発明は上記構成により次の効果を発揮する。
請求項１では、オーガハウジング内に回転自在に収納され、駆動源で駆動される軸に固定したオーガパドルを該軸で駆動し、該オーガパドルの軸方向両側に配置した螺旋部で雪を該オーガパドルの中央部に寄せ、寄せられた雪をオーガパドル中央部の投雪部で跳ね上げ、オーガハウジングから延出したシュータを介して外部に放出するようにした除雪機において、前記オーガパドル中央部に設けた投雪部は前記軸に固定される基部を備え、且つ該投雪部は径方向外方、且つ回転方向に開放し、回転方向の反対側に所定深さのポケット部を備え、前記投雪部の前記ポケット部は、該投雪部基部の先端部から斜めに下がった略々逆三角形の奥壁と、該奥壁の下端部の左右の辺から先端部方向に向かい、投雪部の軸方向中央部が谷となるように略Ｖ字型に形成された所定長さの底壁を備え、前記投雪部のポケット部の底壁は、外周方向に向けて該オーガパドル回転方向とは反対側に傾斜して形成して回転方向に遅れ角を設けたので、両側のオーガから中央部に寄せられた雪の集積性は、投雪部がポケット状なので、より多くの雪を投雪部に集め、放出することが出来る。
【００２７】
従って、回転するオーガパドルの螺旋部で中央部の投雪部に雪を集めて放出する形式の除雪機において、従来に比較し、ポケット状部分により多くの雪を集め、纏め、放出することが出来、投雪部の雪集め機能、投雪性能に優れ、除雪機能性に優れた除雪機を得ることが出来る。
又以上を、投雪部に左右側壁、奥壁を備え、径方向外方、回転方向に開放したポケット状部分を設けるだけでなので、構造の点においても簡易であり、除雪性能に優れた除雪機を、簡易な構造で、低コストで提供することができる。
【００２８】
特に本発明では、オーガパドル中央部に設けたポケット部は投雪部基部の先端部から斜めに下がった略々逆三角形の奥壁と、該奥壁の下端部の左右の辺から先端部方向に向かい、投雪部の軸方向中央部が谷となるように略Ｖ字型に形成された所定長さの底壁を備え、投雪部のポケット部の底壁は、外周方向に向けて該オーガパドル回転方向とは反対側に傾斜して形成して回転方向に遅れ角を設けたので、以上の効果の外、傾斜により最も周速の大きい先端部に雪を集めることが出来、又傾斜により投雪部のポケット状部分に回転位相遅れが生じさせることが出来、雪放出時のイナーシャがつき易く、より多くの雪を集め、纏めてより遠方に放出することが出来る。
又以上の効果を、投雪部のポケット部の底を先端部に向かって傾斜させるという、簡単な構成で実現することが出来る。
【００２９】
また、オーガパドル中央部に設けたポケット部を備える投雪部の底を、該オーガパドルの軸方向の中央部が谷となるように略Ｖ字型としたので、以上の効果の外、オーガパドルの投雪部は、略々Ｖ字型のポケット状となり、投雪部の中央により多くの雪を効率的に集めることが出来、投雪部に雪をより集め、纏め、従来に比較し、より多くの雪を放出することが出来、投雪性能に優れた除雪機を得ることが出来る。
【００３０】
請求項２では、請求項１に加えるに、オーガパドル中央部に設けたポケット状投雪部の先端部にラバーを取り付け、該ラバーは、投雪部の径方向に長さを調節可能としたので、ラバーが摩耗した際、ラバーを進出させ、摩耗を簡単に調節することができる。
【図面の簡単な説明】
【図１】  本発明に係る除雪機の外観側面図
【図２】  本発明に係る除雪機の正面図
【図３】  本発明に係るオーガハウジングの縦断側面図
【図４】  本発明に係るオーガーパドルを背面から見た図で、図３の矢視４方向から見た図
【図５】  本発明に係るオーガパドルの後方から見た全体斜視図
【図６】  本発明に係る投雪部単体の平面図
【図７】  本発明に係る投雪部単体の縦断側面図
【図８】  本発明に係る除雪機の雪放出作用を説明する作用図で背面から見た図
【図９】  図８の作用図の側面図
【符号の説明】
１…除雪機、  ３…駆動源であるエンジン、  ９…オーガハウジング、  １４…シュータ、  ３０…オーガパドル、  ３１…軸、  ３２…螺旋部、  ３３…投雪部、  ３４…ポケット状部分、  ３４ｃ…ポケット状部分の底、  ３４ｄ…谷、  θ…傾斜角、  ３６…投雪部のラバー部材。
【図１】
0003666783.tif 000002
【図２】
0003666783.tif 000003
【図３】
0003666783.tif 000004
【図４】
0003666783.tif 000005
【図５】
0003666783.tif 000006
【図６】
0003666783.tif 000007
【図７】
0003666783.tif 000008
【図８】
0003666783.tif 000009
【図９】
0003666783.tif 000010